(57)【要約】【課題】  複数種の記録媒体を選択的に供給する記録媒体供給部を備えた記録装置において、ユーザが情報処理装置側から確実に適用可能な記録媒体を指定することができ、確実にこれを認識することができる操作性に優れた記録装置の提供を目的とする。【解決手段】  記録媒体に対して記録動作を実行する記録装置本体１００と、所定の情報処理装置５００との間で情報の授受を可能とする記録装置であって、前記記録装置本体１００に異なる種類の記録媒体を選択的に供給可能な記録媒体供給部と、複数種の記録媒体に関する媒体情報を格納してなる記憶手段４０４と、前記記録媒体供給部から供給可能な記録媒体を判別する判別手段４０１、判別手段４０１によって判別された記録媒体に対応した媒体情報を記憶手段４０１から読み出して、情報処理装置５００に送信する通信手段４０５と、を備えたことを特徴とするものである。【選択図】  図６
2005081639.tif 000002
【特許請求の範囲】
【請求項１】
記録媒体に対して記録動作を実行する記録装置本体と、所定の情報処理装置との間で情報の授受を可能とする記録装置であって、
前記記録装置本体に異なる種類の記録媒体を選択的に供給可能な記録媒体供給部と、
複数種の記録媒体に関する媒体情報を格納してなる記憶手段と、
前記記録媒体供給部から供給可能な記録媒体を判別する判別手段と、
前記判別手段によって判別された記録媒体に対応した媒体情報を前記記憶手段から読み出して、前記情報処理装置に送信する通信手段と、を備えたことを特徴とする記録装置。
【請求項２】
前記通信手段は、少なくとも前記記録媒体供給部から供給可能な記録媒体が変更される毎に前記判別手段によって判別された記録媒体に対応する媒体情報を送信することを特徴とする請求項１に記載の記録装置。
【請求項３】
前記通信手段は、電源投入時に前記判別手段によって判別された記録媒体に対応する媒体情報を送信することを特徴とする請求項１または２に記載の記録装置。
【請求項４】
前記記録媒体供給部は、前記通信手段を介して入力された記録媒体指定情報により指定された記録媒体を前記記録媒体供給部から記録装置本体へと供給することを特徴とする請求項１ないし３のいずれかに記載の記録装置。
【請求項５】
前記記録媒体供給部は、異なる種類の記録媒体を積載可能な複数の記録媒体積載部と、前記複数の記録媒体積載部の中から指定された単一の記録媒体積載部より記録媒体を前記記録装置本体へと供給する供給機構と、を備え、前記供給機構は、指定情報によって指定された記録媒体を積載可能な記録媒体積載部から記録媒体の供給を行うことを特徴とする請求項１ないし４のいずれかに記載の記録装置。
【請求項６】
前記記録媒体供給部は、積載可能な記録媒体の最大寸法が互いに異なる第１、第２の記録媒体積載部を有すると共に、第１の記録媒体積載部に積載可能な記録媒体の最大寸法は前記第２の記録媒体積載部に積載可能な記録媒体の最大寸法より小なる寸法に設定され、
前記判別手段は、前記第２の記録媒体積載部が記録媒体供給可能状態にあるとき、前記第２の記録媒体積載部に積載可能な記録媒体のみを供給可能な記録媒体として判別し、
前記通信手段は、前記判別手段によって判別された供給可能な記録媒体に対応する媒体情報を前記記憶手段から読み出して前記情報処理装置に送信し、
前記供給機構は、前記両記録媒体積載部が記録媒体供給可能状態にあるとき、前記第２の積載部から記録装置本体へと記録媒体を供給することを特徴とする請求項１ないし５のいずれかに記載の記録装置。
【請求項７】
前記記録媒体積載部は、積載された記録媒体を記録装置本体へと供給する供給可能状態と、記録媒体本体の供給を遮断する遮断状態とに切換える切換機構を有し、
前記判別手段は、前記切換機構が供給可能状態に設定されているとき、前記第２の記録媒体積載部に積載可能な記録媒体のみを供給可能な記録媒体として判別する一方、前記切換機構が遮断状態に設定されているとき、前記第１の記録媒体積載部に積載可能な記録媒体のみを供給可能な記録媒体として判別することを特徴とする請求項６に記載の記録装置。
【請求項８】
前記記憶手段は、各記録媒体積載部に積載可能な記録媒体の寸法に関する媒体情報を含む情報からなる記録媒体テーブル情報を格納してなり、
通信手段は、前記媒体テーブル情報を通信情報として送信することを特徴とする請求項１ないし７のいずれかに記載の記録装置。
【請求項９】
前記記録媒体テーブル情報は、記録媒体の寸法、材質、画像補正パラメータなどを現す情報を含むことを特徴とする請求項８に記載の記録装置。
【請求項１０】
前記通信手段は、少なくともＵＳＢインターフェースを含むことを特徴とする請求項１ないし９のいずれかに記載の記録装置。
【請求項１１】
記録媒体に対して記録動作を実行する記録装置本体を備えた記録装置と、所定の情報処理手段、入力手段および表示手段を有する情報処理装置とを備え、前記記録装置と情報処理装置との間で情報の授受を可能とする記録システムであって、
前記記録装置は、
前記記録装置本体に異なる種類の記録媒体を選択的に供給可能な記録媒体供給部と、
複数種の記録媒体に関する媒体情報を格納してなる記憶手段と、
前記記録媒体供給部から供給可能な記録媒体を判別する判別手段と、
前記判別手段によって判別された記録媒体に対応した媒体情報を前記記憶手段から読み出して、前記情報処理装置に送信する通信手段と、を備え、
前記情報処理装置は、
前記本体側送信手段を介して記録装置本体から送信された情報に基づき、記録可能な記録媒体を告知する表示手段と、
前記記録装置本体に対し、使用すべき記録媒体を指定する記録媒体指定情報を送信する処理装置側送信手段と、を備えてなり、
前記記録装置は、処理装置側送信手段から送信された記録媒体指定情報を受けて、その情報に基づき前記複数の記録媒体積載手段の中から指定された記録媒体を積載可能な記録媒体積載部から記録媒体の供給を行うことを特徴とする記録システム。
【発明の詳細な説明】
【技術分野】
【０００１】
本発明は、異なる種類の記録媒体を選択的に記録装置本体へと供給可能な記録媒体供給部を有する記録装置、特に、所定の情報処理装置との間で記録に関する情報の通信を可能とする記録装置、およびこの記録装置と情報処理装置とを有する記録システムに関する。
【背景技術】
【０００２】
近年、カラーインクジェットプリンタなどの記録装置の画質は、銀塩写真に匹敵するレベルにまで高められてきている。そのため、家庭では、インクジェット記録装置を用いて、はがきサイズあるいはＬ判サイズ等の記録媒体に対して写真調の高品位な画像を手軽に記録させたいという要求が高まっており、こうした要求は、静止画を記憶媒体に記憶させるようにした所謂デジタルカメラの普及によって一層高まる傾向にある。
【０００３】
ここで、デジタルカメラとインクジェット記録装置とを接続し、デジタルカメラに記録されている画像データを記録する場合の一般的な操作、処理手順を説明する。  
まず、ユーザはデジタルカメラとインクジェット記録装置をＵＳＢケーブル等で接続し、通信を開始する。次に、デジタルカメラ表示部に表示されている画像の中から記録したい画像を選択すると共に、記録に関する情報、例えば、記録媒体の種類、枚数およびレイアウト等を設定する。最後に記録ボタンを押下することでインクジェット記録装置に対して、選択した情報が送信され、その情報に基き記録が開始される。
【０００４】
上記一連の操作の中で、記録媒体の選択などをはじめとする記録に関する情報の選択操作は、ユーザがデジタルカメラの表示部に表示された選択テーブルの各項目を選択することによって行う。この選択テーブルは、デジタルカメラ側に複数種類格納されており、デジタルカメラとインクジェット記録装置とが接続された時点で、その接続されたインクジェット記録装置の機種に対応した選択テーブルがデジタルカメラの表示部上に表示される。すなわち、デジタルカメラがインクジェット記録装置に接続されると、インクジェット記録装置からは、その機種を表す番号、記号（ＩＤ）情報が送信され、デジタルカメラでは格納されている選択テーブルを受信したＩＤ情報に対応する選択テーブルを選び、それを表示するようになっている。
【０００５】
例えば、特許文献１には、撮像装置であるデジタルカメラと出力装置であるプリンタとがインターフェースを介して接続可能に構成され、デジタルカメラで撮影した画像のデータをプリンタへ出力してプリントするとともに、プリント済みの記録用紙の枚数をデジタルカメラ側で計数できるようにした構成が開示されている。
【０００６】
【特許文献１】特開２００３−１４３５３９号公報
【発明の開示】
【発明が解決しようとする課題】
【０００７】
上記のように、現在の記録装置では、これに接続したデジタルカメラなどからユーザが表示部に表示された内容を見ながら、手元で記録しようとする記録媒体の選択操作などを行うことができるようになっている。しかしながら、この現在の記録装置では、記録媒体の種類の指定操作がインクジェット記録装置側の記録媒体に供給される記録媒体と一致しない場合があり、その操作が煩雑なものとなる場合がある。
【０００８】
すなわち、異なる記録媒体を積載可能な記録媒体積載部を複数備えたインクジェット記録装置などにあっては、記録媒体積載部が記録装置本体に着脱可能である場合がある。こうしたインクジェット記録装置にあってもデジタルカメラとの接続時には、インクジェット記録装置特有のＩＤをデジタルカメラ側に送信し、これを受けたデジタルカメラ側は、ＩＤに応じて一意的に対応可能な記録媒体を決定している。このため、実際には、インクジェット記録装置に装着されていない記録媒体積載部内の記録媒体が、デジタルカメラの表示部には適用可能な記録媒体として表示されてしまい、ユーザはその表示に従って装着されていない記録媒体を指定してしまう可能性がある。この場合、インクジェット記録装置からは、使用不能を知らせるメッセージがデジタルカメラ側へと送信されてデジタルカメラの表示部に表示される。その結果、ユーザは、再び記録媒体を指定し直さなければならず、実際にインクジェット記録装置に装着されている記録媒体とユーザが指定する記録媒体とが、一致するまで上記のような設定操作を繰り返すことを余儀なくされることもあり、ユーザによる設定操作が煩雑化すると共に、装置に対する信頼性も低下するという不都合が生じる。
【０００９】
また、異なる記録媒体を積載する複数の記録媒体積載部が存在し、これを切り替えながら使用するような場合、例えば、普通紙を積載する記録媒体積載部と、写真調画像形成用の記録媒体を積載した記録媒体積載部とを備えたインクジェット記録装置では、これらを頻繁に切換えながら記録するような使用状況が予想される。ところが、インクジェット記録装置側で、使用可能な記録媒体を切り替えたとしても、その使用状況はデジタルカメラ側には反映されず、前述のようにＩＤに基いて一意的になされた適用記録媒体の表示の中から記録媒体の指定を行わなければならない。従って、ユーザは、インクジェット記録装置側で切換えられ記録媒体の種類を記憶しながら記録操作を行わなければならず、操作ミスを誘発する可能性がある。特に異なるユーザが記録操作を行う場合には、インクジェット記録装置側における切換え状態を確認しなければ、適切な記録動作を確実に行うことができない可能性があり、操作性が低いものとなっている。
【００１０】
本発明は、上記の課題を解決するためになされたもので、複数種の記録媒体を選択的に供給する記録媒体供給部を備えた記録装置において、記録装置にて実際に供給可能な記録媒体を情報処理装置に送信することで、ユーザが情報処理装置側から確実に適用可能な記録媒体を指定することができると共に、記録装置側で適用する記録媒体を切換えたとしてもユーザが情報処理装置側から確実にこれを認識することができる操作性に優れた記録装置の提供を目的とする。
【課題を解決するための手段】
【００１１】
上記各従来技術の課題を解決するため、本発明は、以下の構成を有するものとなっている。
【００１２】
すなわち、本発明は、記録媒体に対して記録動作を実行する記録装置本体と、所定の情報処理装置との間で情報の授受を可能とする記録装置であって、前記記録装置本体に異なる種類の記録媒体を選択的に供給可能な記録媒体供給部と、複数種の記録媒体に関する媒体情報を格納してなる記憶手段と、前記記録媒体供給部から供給可能な記録媒体を判別する判別手段と、前記判別手段によって判別された記録媒体に対応した媒体情報を前記記憶手段から読み出して、前記情報処理装置に送信する通信手段と、を備えたことを特徴とするものである。
【００１３】
また、本発明は、記録媒体に対して記録動作を実行する記録装置本体を備えた記録装置と、所定の情報処理手段、入力手段および表示手段を有する情報処理装置とを備え、前記記録装置と情報処理装置との間で情報の授受を可能とする記録システムであって、前記記録装置は、前記記録装置本体に異なる種類の記録媒体を選択的に供給可能な記録媒体供給部と、複数種の記録媒体に関する媒体情報を格納してなる記憶手段と、前記記録媒体供給部から供給可能な記録媒体を判別する判別手段と、前記判別手段によって判別された記録媒体に対応した媒体情報を前記記憶手段から読み出して、前記情報処理装置に送信する通信手段と、を備え、前記情報処理装置は、前記本体側送信手段を介して記録装置本体から送信された情報に基づき、記録可能な記録媒体を告知する表示手段と、前記記録装置本体に対し、使用すべき記録媒体を指定する記録媒体指定情報を送信する処理装置側送信手段と、を備えてなり、前記記録装置は、処理装置側送信手段から送信された記録媒体指定情報を受けて、その情報に基づき前記複数の記録媒体積載手段の中から指定された記録媒体を積載可能な記録媒体積載部から記録媒体の供給を行うことを特徴とするものである。
【発明の効果】
【００１４】
上記構成を有する本発明によれば、複数の異なる記録媒体を供給する記録媒体供給部の中で、供給不能な状態の記録媒体が存在した場合、あるいは供給すべき記録媒体を頻繁に変更する場合などにおいても、記録装置側から情報処理装置側へと供給可能な記録媒体に関する情報を送信するようになっているため、ユーザは常に確実に供給し得る記録媒体を情報処理側において記録装置本体へと供給し得る記録媒体を確実に設定することが可能となり、装置の操作性および信頼性は大幅に向上し、適合しない記録媒体への無駄な記録も未然に防止することが可能となり、ランニングコストの低減も図ることができる。
【発明を実施するための最良の形態】
【００１５】
以下、本発明の好適な実施の形態を添付の図面を参照しつつ詳細に説明する。  
この実施形態における記録装置は、記録媒体に対してインクを吐出して画像を形成するインクジェット記録装置となっている。周知のように、インクジェット記録装置には、記録ヘッドを搭載したキャリッジを主走査方向（図１および図２では、Ｘ方向）へと移動させつつ、記録ヘッドからインクを吐出して記録動作を行う一方、前記記録ヘッドの主走査に伴って、記録媒体を主走査方向と交差する方向（図１および図２では、主走査方向と直交するＹ方向）へと間欠的に所定量ずつ搬送して所定の画像を形成するようにした所謂シリアルプリンタ型のインクジェット記録装置と、記録ヘッドを最大記録媒体の幅に合わせて一列に配列した記録ヘッドを定位置に固定し、この記録ヘッドに対して交差する方向（通常、直交する方向）に記録媒体を連続的に移動させつつ、記録ヘッドからインクを吐出して画像を形成するようにした所謂フルライン型のインクジェット記録装置が知られている。
【００１６】
この実施形態では、上記記録装置のうちシリアルプリンタ型のインクジェット記録装置を採用しているが、本発明はこれに限らず、フルライン型のインクジェット記録装置にも適用可能である。また、インクジェット記録装置のように記録媒体と記録ヘッドとが直接接触しない所謂ノンインパクト型の記録装置に限らず、記録媒体と記録ヘッドとが接触する所謂インパクト型の記録装置にも適用可能である。
【００１７】
図１は、この実施形態におけるインクジェット記録装置の全体構成を示す外観斜視図である。  
図１において、このインクジェット記録装置は、上述のように、記録ヘッドを搭載したキャリッジと、このキャリッジを主走査方向（Ｘ方向）へと移動させるキャリッジ移動機構などからなる記録部（図示せず）と、記録媒体を主走査方向と直交する副走査方向（Ｙ方向）へと搬送する搬送機構（図示せず）などを備える記録装置本体１００と、この記録装置本体へと記録媒体を供給する記録媒体給紙部２００とを備えるものとなっている。このうち、記録装置本体１００の前面部には、記録ヘッドによって記録され、搬送機構によって外部へと送り出された記録媒体を保持する排紙トレイ１０１が開閉自在に設けられている。
【００１８】
また、記録媒体供給部２００は、記録装置本体１００の背面側に設置されており、主として、記録媒体を積載するメイン給紙トレイ（第１の記録媒体積載部）２１０と、サブ給紙トレイ（第２の記録媒体積載部）２２１を有するサブ給紙ユニット２２０と、各給紙トレイ２１０，２２１から選択的に記録媒体を供給する給紙機構２３０（図６参照）とを備える。
【００１９】
ここで、上記各部におけるより詳細な構成および作用を図１ないし図６に基き説明する。  
前記第１の給紙トレイ２１０は、後方および上方に向けて突出しており、ここに所定枚数の記録媒体が束状に積載されるようになっている。この第１の給紙トレイ２１０は、大きさはＡ４・Ｂ５等の比較的大きな、書類作成用に使用する普通紙などの記録媒体を積載するのに好適であり、その積載状態を図１に示している。しかし、第１の給紙トレイ２１１に積載し得る記録媒体は、普通紙などに限られるものでなく、大きな写真用記録媒体を積載することも可能である。そして、この第１の給紙トレイ２１１に積載された記録媒体Ｐ１は、給紙機構２３０に設けられた給紙ローラ２３１によって１枚ずつ分離されて記録部に向けて方向（Ｚ方向）に給紙されていく。なお、給紙ローラ２３１は、図６に示す供給モータ２３３の駆動力をギアトレイン２３２などを介して伝達することによって回転する。
【００２０】
また、第１の給紙トレイ２１０の正面側にはサブ給紙トレイ２２１を保持したサブ給紙ユニット２２０が記録媒体供給２００に着脱可能に装着されている。このサブ給紙トレイ２２１の中には大きさの比較的小さい、Ｌ判サイズまたは、はがきサイズ等の写真調画像を記録するための記録媒体（写真用記録媒体と称す）を複数枚収納可能となっている。サブ給紙トレイ２２１には、収納した記録シートに対して塵埃や外光を遮断するためのトレイ蓋２２２が開閉可能に設けられており、サブ給紙トレイ２２１の中に記録媒体を収納させる場合、ユーザはこのトレイ蓋１０９を図１に示すように開けて写真用記録媒体を積載し得るようになっている。
【００２１】
第２の給紙トレイ２２１は、第１の給紙トレイ２１０の前方（正面側）に略平行した状態で配置されており、しかもサブ給紙ユニット２２０と第１の給紙トレイ２２１との間には、適正な隙間を持たせてある。  
このため、第１の給紙トレイ２１０には、約１００枚程度の普通紙を積載可能になっている。そして、この記録媒体の表面には紙種センサ１０４が適度な圧力で接触させ得るような構成となっており、記録装置本体１００内において記録ヘッドによって記録動作を行う位置（記録部）へと送り出す前の記録媒体Ｐ１の表面状態を光学的に検出・識別し、その結果に基づいて、最適な記録動作形態を実現し得るように制御されている。
【００２２】
また、サブ給紙ユニット２２０の正面部には、回転ノブ２２３が設けられており、その外周部の一箇所には指針部２２３ａが突設されている。この回転ノブ２２３は、２つの設定位置２２４ａと２２４ｂとの間を矢印に示すように時計方向および反時計方向へと回転させて操作するようになっており、回転ノブ２２３を設定位置２２４ａに設定した時には、サブ給紙トレイ２２１は図１に示すように上昇位置に保持され、設定位置２２３ｂに設定した時には、サブ給紙トレイ２２１は図２に示すように下降位置に保持される。そして、サブ給紙トレイ２２１が上昇位置にあるとき、サブ給紙トレイ２２１に積載されている記録媒体Ｐ２は記録装置本体１００に対して給紙されない状態（遮断状態）となり、サブ給紙トレイ２２１が下降位置にあるとき記録媒体Ｐ２は給紙を行い得る状態（給紙可能状態）となる。なお、この回転ノブ２２３およびこれに連動してサブ給紙トレイ２２１を昇降させる機構とにより切換機構が構成されている。
【００２３】
また、給紙部２００にはトレイ状態検出センサ３０１が配設されており、これによって、サブ給紙トレイ２２１が遮断状態（上昇位置）にあるか、給紙可能状態（下降位置）にあるかを検出することができるようになっている。  
すなわち、サブ給紙ユニット２２０の動作に連動して動作する公知のリンク機構を使って回転ノブ２２３の指針部２２３ａが設定位置２２４ｂに設定されている時のみサブ給紙ユニット２２０の下面から不図示のレバー部材が突出し、この突出したレバー部材を給紙部（記録媒体供給部）２００側に設けられているトレイ状態検出センサ３０１によって検知するようになっている。トレイ状態検出センサ３０１は光学式のインタラプタでも、電気的接点部が機械的に接離するものでも良い。
【００２４】
このトレイ状態検出センサ３０１により、サブ給紙ユニット２２０が給紙部２００に装着されている場合には、トレイ状態検出センサ３０１からの信号に基きサブ給紙トレイ２２１が給紙可能状態にあるか否かの検出を行うことができる。また、サブ給紙ユニット２２０からの給紙が遮断される遮断状態としては、サブ給紙ユニット２２０が給紙部２００に装着されている状態で、回転ノブ２２３の指針部２２３ａを設定位置２２４ｂに設定する場合だけでなく、サブ給紙ユニット２２０が給紙部２００に装着されていない状態も含まれるが、こうした遮断状態も上記トレイ状態検出センサ３０１からの信号によって検出することができる。また、サブ給紙ユニット２２０には、電気的接点や電気部品が一切存在しないため、電気信号を伝達させる配線等をサブ給紙ユニット２２０内に具備させなくて済む、耐久性に優れた仕組みを実現している。
【００２５】
図６は本実施例のインクジェット記録装置の構成を示すブロック図である。  
図６において、４０１はＣＰＵであり、種々の演算処理、判別処理および後述の各部の制御を行う。例えば、インクジェット記録装置の記録データの作成、記録制御のためのモータ駆動、記録ヘッド吐出制御、インクジェット記録装置に接続されるデジタルカメラやパーソナルコンピュータなどの情報処理装置から転送されたコマンドの解析、パネルからの入力による各種制御などを行う。
【００２６】
４０２は制御プログラムが使用するＲＡＭ、４０３はインクジェット記録装置の制御プログラムが記憶されているＲＯＭであり、インクジェット記録装置の制御用ソフト、各種データ等が格納されている。このインクジェット記録装置用制御装置には、トレイ状態検出センサ３０１が検出した結果に対応する記録媒体を、情報処理装置（例えば、デジタルカメラ５００）に通知する処理も含まれる。ＲＯＭ４０３の制御ソフトは、ＣＰＵ４０１によって読み出されたプログラムとして実行される。各種データはそのまま初期値として使用されるものと、ＲＡＭ４０２に展開され、ＣＰＵ４０１により加工されるものとがある。
【００２７】
４０４はインクジェット記録装置の情報が保存されるＥＥＰＲＯＭであり、インクジェット記録装置の設定状態を保管しておくだけでなく、その他、記録枚数、インク残量等も格納されている。インクジェット記録装置の設定状態としては、自動電源ＯＮ／ＯＦＦ、乾燥モードなどの機能項目が情報として格納されている。
【００２８】
４０５は情報処理装置上位装置から記録データを受信する通信手段としてインターフェース（Ｉ／Ｆ）であり、ここから受信された記録データはＣＰＵ４０１により読み込まれ、ＲＡＭ４０２上にイメージデータとして展開される。Ｉ／Ｆ４０５はＩＥＥＥ１２８４、ＩＥＥＥ１３９４、ＵＳＢあるいは無線等を使用することができ、情報処理装置との双方向通信が可能になっている。
【００２９】
４０６は前述のトレイ状態検出センサ３０１、記録装置本体１００における搬送路中に記録媒体が存在するか否かを検出する記録媒体検出センサ、環境温度および記録ヘッドの温度などを検出する温度センサなどをはじめとする各種センサを含むセンサ部である。
【００３０】
４０８はキャリッジ（ＣＲ）モータであり、主走査方向に記録ヘッドを搭載するキャリッジを走査させるための駆動源として使用される。４０９はラインフィード（ＬＦ）モータであり、記録媒体を副走査方向へ間欠的に移動させるための駆動源として使用される。２３３はオートシートフィード（ＡＳＦ）モータであり、前記給紙部２００の給紙トレイ２２１または２１０から記録媒体を一枚ずつ分離して記録可能位置まで記録媒体を移動させる駆動源として使用する。４１１はパージ（ＰＧ）モータであり、記録ヘッドの回復動作を行う駆動源として使用する。４０６は上記各モータを駆動するためのモータドライバであり、各モータは独立で動作させることが可能可能になっている。４１２は記録ヘッドの吐出制御を行う記録ヘッド制御部である。
【００３１】
また、５００は前記インクジェット記録装置に接続される情報処理手段としてのデジタルカメラである。このデジタルカメラ５００において、５０１は各部の制御を行うＣＰＵ５０１、５０２は制御プログラムなどを格納してなるＲＯＭ、５０３はＣＰＵ５０１によって実行される処理動作のワークエリアとして機能すると共に各種データの格納を行うＲＡＭである。また、ＣＰＵ５０１には、光学系を介して入射される光学像を電気的画像信号に変換する撮像部５０５、入力された画像あるいは後述の記録媒体テーブルなどを初めとする種々の画像を表示する表示部５０７、撮像部５０５あるいはインクジェット記録装置に対する指令および各種データの入力操作を行う入力操作部５０６および、インクジェット記録装置との間で情報の授受を行う通信手段としてのインターフェース（Ｉ／Ｆ）などが接続されている。なお、このデジタルカメラ５００とインクジェット記録装置とにより、互いに情報の授受を可能とする記録システムが構成されている。
【００３２】
次に、上記構成を有するインクジェット記録装置およびデジタルカメラ５００とからなる記録システムの処理フローを説明する。
【００３３】
まず、図７に基き、上記記録システムにおいて電源投入時の初期設定に関する処理フローを説明する。  
記録システムの電源が投入されると（ステップＳ７０１）、給紙部２００に設けられたトレイ状態検出センサ３０１により、サブ給紙トレイ２２１が記録媒体を供給可能状態にあるか否かを検出する（ステップＳ７０２）。次いで、検出された結果に応じたフラグを設定する。これは、図８の処理動作において、サブ給紙トレイ２２１が給紙可能状態から遮断状態に切換えられたり、あるいは遮断状態から給紙可能状態に切換えられたりしたか否かの検出を行うために行う。その後、ステップＳ７０２で検出されたサブ給紙トレイ２２１の状態に基き、記録装置本体１００の記録部に対して供給し得る記録媒体の種類を表す情報を接続先の情報処理装置であるデジタルカメラ５００に送信する処理を以下のステップＳ７０４〜Ｓ７０７のフローに従って行う。
【００３４】
まず、現在のサブ給紙トレイ２１１の状態が給紙可能状態であるか遮断状態であるかを判断する（ステップＳ７０４）。ここで給紙可能状態であると判断された場合には、デジタルカメラ５００へ送信する通信情報として給紙テーブル２を選択し（ステップＳ７０６）、これを給紙情報として送信する（ステップＳ７０７）。ここで、給紙可能状態とは、サブ給紙ユニット２２０の回転ノブ２２３の設定操作によってサブ給紙トレイ２２１が下降位置に設定された状態を意味する。
【００３５】
また、ステップＳ７０４で遮断状態であると判断された場合には、給紙テーブル１を選択し（ステップＳ７０５）、これを通信情報としてデジタルカメラ５００へ送信する。なお、遮断状態と判断される場合としては、回転ノブ２２３の操作によってサブ給紙ユニット２２０が上昇位置にある場合と、給紙部２００に搭載されていない場合とが考えられるが、いずれの場合にも、給紙テーブル１が通信情報としてデジタルカメラ５００に送信される（ステップＳ７０７）。
【００３６】
この後、インクジェット記録装置側から送信された給紙テーブル情報を受けて、デジタルカメラ５００では、ＣＰＵ５０１が表示部５０７に給紙テーブルを表示させる（Ｓ７０８）。
【００３７】
ここで、デジタルカメラ５００で表示される記録媒体に関する給紙テーブル１，２の一例を図９に示す。  
図示のように、給紙テーブル１はサブ給紙トレイ２２１からの給紙を可能とする状態で使用されるテーブルであるため、２Ｌ、Ａ４サイズといった大きいサイズの記録動作はできないことを表している。一方、給紙テーブル２は、サブ給紙トレイ２２１からの給紙が遮断された状態であり、メイン給紙トレイ２１０からの給紙のみが可能な状態において使用されるテーブルであるため、Ａ４サイズや２Ｌなど比較的大きいサイズの用紙まで給紙可能であることを表している。
【００３８】
このようにして表示部５０７に上記のようなテーブルが表示されることにより、ユーザは、インクジェット記録装置側で記録動作に使用し得る記録媒体としてどのような寸法、材質のものがあるかを確実に認識することができる。そして、この給紙テーブルに従って使用すべき記録媒体の種類などを指定し、記録しようとする画像を確定する。この後、入力操作部５０６における送信ボタンを押下することにより、確定した記録媒体情報および画像データなどがインクジェット記録装置から送信される（ステップＳ７０９〜Ｓ７１０）。この後、インクジェット記録装置では、デジタルカメラ５００から送信されてきたデータに基き、選択された記録媒体の積載された給紙トレイを選択し、その選択した給紙トレイから給紙を行って記録動作を行う（ステップＳ７１１，Ｓ７１２）。
【００３９】
次に、図８に基きユーザの操作によって給紙可能な給紙トレイが変更された場合の処理フローを説明する。
【００４０】
給紙部２００に対し、サブ給紙トレイ２２１の状態が変化したか否か、すなわちサブ給紙トレイが、給紙可能状態から遮断状態へ、あるいは遮断状態から給紙可能状態へと変化したか否かの判断を行う。これは、トレイ状態検出センサ３０１の検出結果によって検出することができる（ステップＳ５０１）。次に、トレイ状態検出センサ３０１によって検出された結果が、前回検出された検出結果と一致しているか否かを判断する（ステップＳ５０２）。例えば、前述の初期設定の直後では、前述のステップＳ７０２で格納された検出結果と、今回の検出結果とを比較することとなる。ステップＳ５０２において前回と今回の検出結果が一致していると判断された場合には、サブ給紙トレイ２２１の状態が変化していないと判断し、その検出結果に基く情報は、接続先であるデジタルカメラ５００には送信しない。また、前回の検出結果と今回の検出結果とが異なっている場合には、サブ給紙トレイ２２１の位置が変更されたと判断し、前回の検出動作において設定されている検出結果に対し、現在の検出結果を上書きする（ステップＳ５０３）。
【００４１】
その後、ステップＳ５０４で検出されたサブ給紙トレイ２２１の状態に基き、記録装本体１００の記録部に対して供給し得る記録媒体の種類を表す情報を接続先の情報処理装置であるデジタルカメラ５００に送信する処理を以下のステップＳ５０４〜Ｓ５０７のフローに従って行う。
【００４２】
まず、現在のサブ給紙トレイ２２１の状態が給紙可能状態であるか遮断状態であるかを判断する（ステップＳ５０４）。ここで給紙可能状態であると判断された場合には、デジタルカメラ５００へ送信する通信情報として給紙テーブル２を選択し（ステップＳ５０６）、これを給紙情報として送信する（ステップＳ５０７）。ここで、給紙可能状態とは、サブ給紙ユニット２２０の回転ノブ２２３の設定操作によってサブ給紙トレイ２２１が下降位置に設定された状態を意味する。
【００４３】
また、ステップＳ７０４で遮断状態であると判断された場合には、給紙テーブル１を選択し（ステップＳ５０５）、これを通信情報としてデジタルカメラ５００へ送信する。なお、遮断状態と判断される場合としては、回転ノブ２２３の操作によってサブ給紙ユニット２２０が上昇位置にある場合と、給紙部２００に搭載されていない場合とが考えられるが、いずれの場合にも、給紙テーブル１が通信情報としてデジタルカメラ５００に送信される（ステップＳ５０７）。
【００４４】
デジタルカメラ５００へと送信した後は、ステップＳ５０８〜Ｓ５１２において、前述のステップＳ７０８〜Ｓ７１２と同様の動作を、デジタルカメラ５００およびインクジェット記録装置で実行される。
【００４５】
なお、図９では記録媒体として記録媒体サイズのみを表すテーブルを用いたが、品質を示すテーブルや、画像補正に関するパラメータのテーブルを、サブ給紙トレイ２２１の着脱に伴って変更し、情報処理装置に通知するようにしても良い。
【００４６】
また、上記実施形態では、インクジェット記録装置と接続する情報処理装置としてデジタルカメラを例に採り説明したが、情報処理手段、入力手段および表示手段などを備え、インクジェット記録装置との通信が可能である情報処理装置であれば、いかなるものも適用可能であり、本発明にシステムはデジタルカメラを用いるものに限定されない。
【００４７】
また、上記実施形態では、記録媒体積載手段として、メイン給紙トレイとサブ給紙トレイの２個の給紙トレイを有するインクジェット記録装置を例に採り説明したが、３個以上の記録媒体積載手段を有するインクジェット記録装置にも本発明は適用可能である。また、複数の記録媒体積載手段が、記録装置本体に対して着脱可能であるもの、あるいは固定されているもののいずれであっても良い。さらに、各記録媒体積載手段が、上記実施形態のようにそれ自体で給紙可能状態と遮断状態とを適宜切換え得る機能を有するものであっても良いが、記録媒体積載手段にそのような切換え機能が設けられていない場合にも本発明は適用可能である。すなわち、記録媒体積載手段に給紙可能状態と給紙遮断状態とを切換える機能が備えられていない場合であっても、記録媒体積載手段が着脱可能である場合には、その装着状態が給紙可能状態に相当し、取り外し状態が遮断状態に相当することとなるため、記録媒体積載手段の着脱を検出することが可能であれば、その検出結果に応じた媒体情報を情報処理装置に送出することによって本発明の目的を達成することができる。
【００４８】
また、記録媒体積載手段に、記録媒体の寸法、材質などを検出する紙種検出手段を設ければ、ここで検出した検出結果に基き、記録媒体積載手段に積載されている記録媒体についてより詳細かつ確実な情報を情報処理装置側に送信することが可能となり、システムの信頼性はより一層向上する。
【図面の簡単な説明】
【００４９】
【図１】本発明の実施形態におけるインクジェット記録装置の全体構成を示す外観斜視図であり、サブ給紙トレイの給紙遮断状態を示している。
【図２】本発明の実施形態におけるインクジェット記録装置の全体構成を示す外観斜視図であり、サブ給紙トレイの給紙可能状態を示している。
【図３】本発明の実施形態におけるサブ給紙トレイの外観斜視図であり、その給紙遮断状態を示している。
【図４】本発明の実施形態におけるサブ給紙トレイの外観斜視図であり、その給紙可能状態を示している。
【図５】本発明の実施形態における給紙部の全体構成を示す斜視図である。
【図６】本発明の実施形態における制御系のブロック図である。
【図７】本発明の実施形態における記録システムにおいて電源投入時の初期設定に関する処理フローを示すフローチャートである。
【図８】本発明の実施形態における記録システムにおいてユーザの操作によって給紙可能な給紙トレイが変更された場合の処理フローを示すフローチャートである。
【図９】本発明の実施形態における記録媒体テーブルの一例を示す図である。
【符号の説明】
【００５０】
１００  記録装置本体
２００  給紙部
２１０  メイン給紙トレイ
２２０  サブ給紙ユニット
２２１  サブ給紙トレイ
２２３  回転ノブ
２３０  給紙機構
２３１  給紙ローラ
２３３  給紙モータ
３０１  トレイ状態検出センサ
４０１  ＣＰＵ
４０２  ＲＡＭ
４０３  ＲＯＭ
４０４  ＥＥＰＲＯＭ
４０５  インターフェース
４０６  センサ部
５００  デジタルカメラ
５０１  ＣＰＵ
５０２  ＲＯＭ
５０３  ＲＡＭ
５０４  インターフェース
５０６  入力操作部
５０７  表示部
【図１】
2005081639.tif 000003
【図２】
2005081639.tif 000004
【図３】
2005081639.tif 000005
【図４】
2005081639.tif 000006
【図５】
2005081639.tif 000007
【図６】
2005081639.tif 000008
【図７】
2005081639.tif 000009
【図８】
2005081639.tif 000010
【図９】
2005081639.tif 000011